【手続補正書】
【提出日】平成24年2月9日(2012.2.9)
【手続補正１】
【補正対象書類名】特許請求の範囲
【補正対象項目名】全文
【補正方法】変更
【補正の内容】
【特許請求の範囲】
【請求項１】
伝導性通信モジュールを備える、集積回路を備える摂取可能な構成要素と、
第２の非伝導性通信モジュールと
を備える、デバイス。
【請求項２】
前記第２の非伝導性通信モジュールは、ワイヤレス無線周波数モジュールと、磁気誘導モジュールと、光モジュールと、音響モジュールと、有線モジュールとから成る群より選択される、少なくとも１つのモジュールを備える、請求項１に記載のデバイス。
【請求項３】
前記ワイヤレス無線周波数モジュールは、無線周波数識別モジュールを備える、請求項２に記載のデバイス。
【請求項４】
前記光モジュールは、赤外線周波数モジュールを備える、請求項２に記載のデバイス。
【請求項５】
前記摂取可能な構成要素は、電源を備える、請求項１に記載のデバイス。
【請求項６】
前記電源は、異種材料から製造される一対の電極を備える、請求項５に記載のデバイス。
【請求項７】
前記デバイスは、前記非伝導性通信モジュールに電気的に連結される第２の電源を備える、請求項５に記載のデバイス。
【請求項８】
前記第２の電源は、コイルを備える、請求項７に記載のデバイス。
【請求項９】
前記摂取可能な構成要素は、前記非伝導性通信モジュールを備える、請求項１に記載のデバイス。
【請求項１０】
前記非伝導性通信モジュールは、前記摂取可能な構成要素の集積回路に電気的に連結される、請求項９に記載のデバイス。
【請求項１１】
前記摂取可能な構成要素の集積回路と、伝導性通信モジュールと、前記非伝導性通信モジュールの少なくとも一部分とは、識別子構成要素に統合される、請求項１０に記載のデバイス。
【請求項１２】
前記非伝導性通信モジュールは、非伝導性伝送器を備える、請求項１０に記載のデバイス。
【請求項１３】
前記非伝導性伝送器は、前記摂取可能な構成要素と関連付けられる、請求項１２に記載のデバイス。
【請求項１４】
前記非伝導性伝送器は、前記デバイスの包装構成要素と関連付けられる、請求項１２に記載のデバイス。
【請求項１５】
前記非伝導性通信モジュールは、前記摂取可能な構成要素の集積回路とは異なる、第２の集積回路に電気的に連結される、請求項１に記載のデバイス。
【請求項１６】
前記第２の集積回路と摂取可能な構成要素の集積回路とは、互いに通信するように構成される、請求項１５に記載のデバイス。
【請求項１７】
前記非伝導性通信モジュールの少なくとも一部分は、前記伝導性通信モジュールの機能を損なわない態様で、前記摂取可能な構成要素から分離可能となるように構成される、請求項１に記載のデバイス。
【請求項１８】
前記摂取可能な構成要素は、活性医薬品を備える、請求項１に記載のデバイス。
【請求項１９】
前記摂取可能な構成要素は、生理学的に容認可能な賦形剤を備える、請求項１に記載のデバイス。
【請求項２０】
前記生理学的に容認可能な賦形剤は、錠剤またはカプセルとして構成される、請求項１９に記載のデバイス。
【請求項２１】
第１の信号を発信するように構成される伝導性通信モジュールを備える、集積回路を備える摂取可能な構成要素と、
第２の信号を発信するように構成される第２の非伝導性通信モジュールと、
受信機と
を備え、該受信機と、伝導性通信モジュールと、非伝導性通信モジュールとは、該受信機と、該伝導性通信モジュールおよび該非伝導性通信モジュールのうちの少なくとも１つとの間で、情報の伝送を提供するように構成される、システム。
【請求項２２】
前記受信機は、前記第１の信号と前記第２の信号のうちの少なくとも１つを受信するように構成される、請求項２１に記載のシステム。
【請求項２３】
前記受信機は、前記第２の信号を受信するように構成される、請求項２２に記載のシステム。
【請求項２４】
前記受信機は、無線周波数読取機を備える、請求項２３に記載のシステム。
【請求項２５】
前記受信機は、前記非伝導性通信モジュールに情報を伝送するように構成される、請求項２３に記載のシステム。
【請求項２６】
前記受信機は、製造システムと、サプライチェーン管理システムと、健康管理システムとから成る群より選択される、システムから選択される構成要素である、請求項２３に記載のシステム。
【請求項２７】
前記受信機は、製造システムの構成要素である、請求項２６に記載のシステム。
【請求項２８】
前記受信機は、選別機と関連付けられる、請求項２７に記載のシステム。
【請求項２９】
前記受信機は、エンコーダと関連付けられる、請求項２７に記載のシステム。
【請求項３０】
前記受信機は、サプライチェーン管理システムの構成要素である、請求項２６に記載のシステム。
【請求項３１】
前記受信機は、追跡装置と関連付けられる、請求項３０に記載のシステム。
【請求項３２】
前記受信機は、健康管理システムの構成要素である、請求項２６に記載のシステム。
【請求項３３】
前記受信機は、スキャナと関連付けられる、請求項３２に記載のシステム。
【請求項３４】
前記受信機は、エンコーダと関連付けられる、請求項３２に記載のシステム。
【請求項３５】
前記受信機は、前記第１の信号を受信するように構成される、請求項２２に記載のシステム。
【請求項３６】
前記第１の信号は、非生理学的データを備える、請求項３５に記載のシステム。
【請求項３７】
前記受信機は、生物体に取外し可能に取り付けられるように構成される、請求項３６に記載のシステム。
【請求項３８】
前記受信機は、接着構成要素を備える、請求項３７に記載のシステム。
【請求項３９】
前記受信機は、埋込型受信機を備える、請求項３５に記載のシステム。
【請求項４０】
前記受信機は、電気刺激デバイスとして構成される、請求項３５に記載のシステム。
【手続補正２】
【補正対象書類名】明細書
【補正対象項目名】００１２
【補正方法】変更
【補正の内容】
【００１２】
公開された米国特許出願第２００７／０００８１１２号、第２００６／００６１４７２号、および第２００５／０２８５７３２号で論議されているような、医薬品追跡に使用されるＲＦＩＤシステムの局面も、システムで使用することができ、それらの全体が本明細書に参考として援用される。
例えば、本発明は以下の項目を提供する。
（項目１）
伝導性通信モジュールを備える、集積回路を備える摂取可能な構成要素と、
第２の非伝導性通信モジュールと
を備える、デバイス。
（項目２）
上記第２の非伝導性通信モジュールは、ワイヤレス無線周波数モジュールと、磁気誘導モジュールと、光モジュールと、音響モジュールと、有線モジュールとから成る群より選択される、少なくとも１つのモジュールを備える、項目１に記載のデバイス。
（項目３）
上記ワイヤレス無線周波数モジュールは、無線周波数識別モジュールを備える、項目２に記載のデバイス。
（項目４）
上記光モジュールは、赤外線周波数モジュールを備える、項目２に記載のデバイス。
（項目５）
上記摂取可能な構成要素は、電源を備える、項目１に記載のデバイス。
（項目６）
上記電源は、異種材料から製造される一対の電極を備える、項目５に記載のデバイス。
（項目７）
上記デバイスは、上記非伝導性通信モジュールに電気的に連結される第２の電源を備える、項目５に記載のデバイス。
（項目８）
上記第２の電源は、コイルを備える、項目７に記載のデバイス。
（項目９）
上記摂取可能な構成要素は、上記非伝導性通信モジュールを備える、項目１に記載のデバイス。
（項目１０）
上記非伝導性通信モジュールは、上記摂取可能な構成要素の集積回路に電気的に連結される、項目９に記載のデバイス。
（項目１１）
上記摂取可能な構成要素の集積回路と、伝導性通信モジュールと、上記非伝導性通信モジュールの少なくとも一部分とは、識別子構成要素に統合される、項目１０に記載のデバイス。
（項目１２）
上記非伝導性通信モジュールは、非伝導性伝送器を備える、項目１０に記載のデバイス。
（項目１３）
上記非伝導性伝送器は、上記摂取可能な構成要素と関連付けられる、項目１２に記載のデバイス。
（項目１４）
上記非伝導性伝送器は、上記デバイスの包装構成要素と関連付けられる、項目１２に記載のデバイス。
（項目１５）
上記非伝導性通信モジュールは、上記摂取可能な構成要素の集積回路とは異なる、第２の集積回路に電気的に連結される、項目１に記載のデバイス。
（項目１６）
上記第２の集積回路と摂取可能な構成要素の集積回路とは、互いに通信するように構成される、項目１５に記載のデバイス。
（項目１７）
上記非伝導性通信モジュールの少なくとも一部分は、上記伝導性通信モジュールの機能を損なわない態様で、上記摂取可能な構成要素から分離可能となるように構成される、項目１に記載のデバイス。
（項目１８）
上記摂取可能な構成要素は、活性医薬品を備える、項目１に記載のデバイス。
（項目１９）
上記摂取可能な構成要素は、生理学的に容認可能な賦形剤を備える、項目１に記載のデバイス。
（項目２０）
上記生理学的に容認可能な賦形剤は、錠剤またはカプセルとして構成される、項目１９に記載のデバイス。
（項目２１）
第１の信号を発信するように構成される伝導性通信モジュールを備える、集積回路を備える摂取可能な構成要素と、
第２の信号を発信するように構成される第２の非伝導性通信モジュールと、
受信機と
を備え、該受信機と、伝導性通信モジュールと、非伝導性通信モジュールとは、該受信機と、該伝導性通信モジュールおよび該非伝導性通信モジュールのうちの少なくとも１つとの間で、情報の伝送を提供するように構成される、システム。
（項目２２）
上記受信機は、上記第１の信号と上記第２の信号のうちの少なくとも１つを受信するように構成される、項目２１に記載のシステム。
（項目２３）
上記受信機は、上記第２の信号を受信するように構成される、項目２２に記載のシステム。
（項目２４）
上記受信機は、無線周波数読取機を備える、項目２３に記載のシステム。
（項目２５）
上記受信機は、上記非伝導性通信モジュールに情報を伝送するように構成される、項目２３に記載のシステム。
（項目２６）
上記受信機は、製造システムと、サプライチェーン管理システムと、健康管理システムとから成る群より選択される、システムから選択される構成要素である、項目２３に記載のシステム。
（項目２７）
上記受信機は、製造システムの構成要素である、項目２６に記載のシステム。
（項目２８）
上記受信機は、選別機と関連付けられる、項目２７に記載のシステム。
（項目２９）
上記受信機は、エンコーダと関連付けられる、項目２７に記載のシステム。
（項目３０）
上記受信機は、サプライチェーン管理システムの構成要素である、項目２６に記載のシステム。
（項目３１）
上記受信機は、追跡装置と関連付けられる、項目３０に記載のシステム。
（項目３２）
上記受信機は、健康管理システムの構成要素である、項目２６に記載のシステム。
（項目３３）
上記受信機は、スキャナと関連付けられる、項目３２に記載のシステム。
（項目３４）
上記受信機は、エンコーダと関連付けられる、項目３２に記載のシステム。
（項目３５）
上記受信機は、上記第１の信号を受信するように構成される、項目２２に記載のシステム。
（項目３６）
上記第１の信号は、非生理学的データを備える、項目３５に記載のシステム。
（項目３７）
上記受信機は、生物体に取外し可能に取り付けられるように構成される、項目３６に記載のシステム。
（項目３８）
上記受信機は、接着構成要素を備える、項目３７に記載のシステム。
（項目３９）
上記受信機は、埋込型受信機を備える、項目３５に記載のシステム。
（項目４０）
上記受信機は、電気刺激デバイスとして構成される、項目３５に記載のシステム。
（項目４１）
第１の信号および第２の信号のうちの少なくとも１つを、デバイスから検出することを含む方法であって、該デバイスは、
該第１の信号を発信するように構成される伝導性通信モジュールを備える、集積回路を備える摂取可能な構成要素と、
該第２の信号を発信するように構成される第２の非伝導性通信モジュールの少なくとも一部分と
を備える、方法。
（項目４２）
上記方法は、上記第１の信号を検出することを含む、項目４１に記載の方法。
（項目４３）
上記方法は、上記第２の信号を検出することを含む、項目４１に記載の方法。
（項目４４）
上記方法は、上記第１の信号と上記第２の信号とを検出することを含む、項目４１に記載の方法。
（項目４５）
第１の信号および第２の信号のうちの少なくとも１つを、デバイスから発信することを含む方法であって、該デバイスは、
該第１の信号を発信するように構成される伝導性通信モジュールを備える、集積回路を備える摂取可能な構成要素と、
該第２の信号を発信するように構成される第２の非伝導性通信モジュールの少なくとも一部分と
を備える、方法。
（項目４６）
上記方法は、上記第１の信号を発信することを含む、項目４５に記載の方法。
（項目４７）
上記方法は、上記第２の信号を発信することを含む、項目４５に記載の方法。
（項目４８）
上記方法は、上記第１の信号と上記第２の信号とを発信することを含む、項目４５に記載の方法。
（項目４９）
非伝導性通信モジュールと受信機との間に信号を伝送することを含む方法であって、
該非伝導性通信モジュールは、
伝導性通信モジュールを備える、集積回路を備える摂取可能な構成要素と、
第２の非伝導性通信モジュールと
を備える、デバイスの構成要素である、方法。
（項目５０）
上記受信機は、製造システムと、サプライチェーン管理システムと、健康管理システムとから成る群より選択される、システムから選ばれる構成要素である、項目４９に記載の方法。
（項目５１）
上記受信機は、製造システムの構成要素である、項目５０に記載の方法。
（項目５２）
上記製造システムは、高スループット製造システムである、項目５１に記載の方法。
（項目５３）
上記信号は、上記デバイスから上記受信機に伝送される、項目５１に記載の方法。
（項目５４）
上記信号は、上記受信機から上記デバイスに伝送される、項目５１に記載の方法。
（項目５５）
上記受信機は、サプライチェーン管理システムの構成要素である、項目５０に記載の方法。
（項目５６）
上記信号は、上記デバイスから上記受信機に伝送される、項目５５に記載の方法。
（項目５７）
上記信号は、上記受信機から上記デバイスに伝送される、項目５５に記載の方法。
（項目５８）
上記受信機は、健康管理システムの構成要素である、項目５０に記載の方法。
（項目５９）
上記信号は、上記デバイスから上記受信機に伝送される、項目５８に記載の方法。
（項目６０）
上記信号は、上記受信機から上記デバイスに伝送される、項目５８に記載の方法。
（項目６１）
被術者にデバイスを投与することを含む方法であって、
該デバイスは、
第１の信号を発信するように構成される伝導性通信モジュールを備える、集積回路を備える摂取可能な構成要素と、
第２の信号を発信するように構成される第２の非伝導性通信モジュールの少なくとも一部分と
を備える、方法。
（項目６２）
上記方法は、受信機において上記第１の信号を受信することをさらに含む、項目６１に記載の方法。
（項目６３）
上記方法は、上記受信された第１の信号から、上記摂取可能な構成要素の履歴情報を決定することをさらに含む、項目６２に記載の方法。
（項目６４）
上記摂取可能な構成要素は、活性医薬品を含む、項目６１に記載の方法。
（項目６５）
上記摂取可能な構成要素は、生理学的に容認可能な賦形剤を含む、項目６４に記載の方法。
（項目６６）
上記生理学的に容認可能な賦形剤は、錠剤またはカプセルとして構成される、項目６５に記載の方法。